(57)【要約】【課題】  同一画像を複数保存することによるメモリの消費を抑制する画像消去装置を提供することである。【解決手段】  実施形態の画像消去装置は、搬送部、読取部、消色部、及び制御部を有する。前記搬送部は、再利用するシートを搬送路に沿って給紙トレイから搬送する。前記読取部は、前記搬送路に沿って設けられ、搬送される前記シート上の画像の読取処理を実行する。前記消色部は、前記搬送路に沿って前記読取部の下流に設けられ、搬送される前記シート上の画像に対して消色処理を施す。前記制御部は、前記搬送されるシートが所定の条件を満たさない場合、前記読取部により読み取られた画像を記憶部へ保存する保存処理を施さず、前記消色処理を施す制御を行う。【選択図】  図３
2015060079.tif 000002
【特許請求の範囲】
【請求項１】
再利用するシートを搬送路に沿って給紙トレイから搬送する搬送部と、
前記搬送路に沿って設けられ、搬送される前記シート上の画像の読取処理を実行する読取部と、
前記搬送路に沿って前記読取部の下流に設けられ、搬送される前記シート上の画像に対して消色処理を施す消色部と、
前記搬送されるシートが所定の条件を満たさない場合、前記読取部により読み取られた画像を記憶部へ保存する保存処理を施さず、前記消色処理を施す制御を行う制御部と、
を備える画像消去装置。
【請求項２】
前記所定の条件は、前記給紙トレイから搬送されるシートの累計枚数が予め設定された閾値以下であるか否かであり、
前記制御部は、前記累計枚数が前記閾値以下であるとして所定の条件を満たす場合、前記給紙トレイから搬送されるシートに対して前記保存処理及び前記消色処理を施し、前記累計枚数が前記閾値を超えるとして所定の条件を満たさない場合、前記給紙トレイから搬送されるシートに対して前記保存処理を施さず、前記消色処理を施す制御を行う請求項１に記載の画像消去装置。
【請求項３】
前記所定の条件は、前記読取処理で読み取った画像と同一の画像が前記記憶部に保存されているか否かであり、
前記制御部は、前記読み取った画像と同一の画像が前記記憶部に保存されていないとして所定の条件を満たす場合、
前記給紙トレイから搬送されるシートに対して前記保存処理及び前記消色処理を施し、前記読み取った画像と同一の画像が前記記憶部に保存されているとして所定の条件を満たさない場合、前記給紙トレイから搬送されるシートに対して前記保存処理を施さず、前記消色処理を施す制御を行う請求項１に記載の画像消去装置。
【請求項４】
前記制御部は、前記読取処理により読み取った画像と前記記憶部に保存されている画像とが同一か否かの所定の条件を判断不可能な場合、前記保存処理を施さず、前記消色処理も行わない請求項３に記載の画像消去装置。
【請求項５】
前記制御部が成した処理情報を表示させる表示部をさらに有し、
前記制御部は、前記読取処理により読み取った画像と前記記憶部に保存されている画像とが同一するか否かを判断不可能な場合、前記表示部にその旨を通知する請求項４に記載の画像消去装置。
【発明の詳細な説明】
【技術分野】
【０００１】
本発明の実施形態は、シート上に形成された画像を消去する画像消去装置に関する。
【背景技術】
【０００２】
従来、例えば記録用紙等のシート上の画像の色材を加熱することで透明へ消色し、シートを再利用可能な状態にする画像消去装置がある。このような画像消去装置においては、読取部によりシート上の画像を読み取り、この画像を記憶部へ保存した後に消色処理を施す。
【０００３】
しかしながら、従来の画像消去装置では、例えば同一画像が印刷された複数のシートに対して消色処理を施す場合、たとえ同一画像であっても全ての画像を記憶部へ保存するため、メモリを余分に消費してしまうといった問題があった。
【先行技術文献】
【特許文献】
【０００４】
【特許文献１】特開２０１１−７０５４０公報
【発明の概要】
【発明が解決しようとする課題】
【０００５】
本発明の実施形態が解決しようとする課題は、同一画像を複数保存することによるメモリの消費を抑制する画像消去装置を提供することである。
【課題を解決するための手段】
【０００６】
実施形態の画像消去装置は、搬送部、読取部、消色部、及び制御部を有する。前記搬送部は、再利用するシートを搬送路に沿って給紙トレイから搬送する。前記読取部は、前記搬送路に沿って設けられ、搬送される前記シート上の画像の読取処理を実行する。前記消色部は、前記搬送路に沿って前記読取部の下流に設けられ、搬送される前記シート上の画像に対して消色処理を施す。前記制御部は、前記搬送されるシートが所定の条件を満たさない場合、前記読取部により読み取られた画像を記憶部へ保存する保存処理を施さず、前記消色処理を施す制御を行う。
【図面の簡単な説明】
【０００７】
【図１】第１の実施形態における画像消去装置の構成を説明する断面図。
【図２】図１に示す画像消去装置のハードウェア構成の制御ブロック図。
【図３】第１の実施形態における第２消色モードの制御フローチャート。
【図４】第２の実施形態における第２消色モードの制御フローチャート。
【発明を実施するための形態】
【０００８】
以下、発明を実施するための実施形態について図面を参照して説明する。
【０００９】
画像消去装置は、消色可能トナーや消色可能インク等の消色可能な色材により画像を形成された記録用紙等のシートに対し、画像の色を消す消色処理を施す。消色可能な色材は、呈色性化合物、顕色剤、消色剤を含む。呈色性化合物は、例えばロイコ染料が挙げられる。顕色剤は、例えばフェノール類が挙げられる。消色剤は、加熱されると呈色性化合物と相溶し、顕色剤と親和性を有さない物質が挙げられる。消色可能な色材は、呈色性化合物と顕色剤との相互作用により発色し、消色温度以上の加熱により呈色性化合物と顕色剤との相互作用が絶たれるため、消色する。以下、消色可能な色材を単に記録材料と呼ぶ。
（第１の実施形態）
【００１０】
以下に、第１の実施形態の画像消去装置の構成及び動作について説明する。本実施形態の画像消去装置は、ユーザから入力された枚数分のシートの画像のみ記憶部へ保存処理を行い、以降のシートの画像は保存処理を行わない。
【００１１】
図１は、第１の実施形態における画像消去装置１００の構成を説明する断面図である。画像消去装置１００は、詳細は後述するが、装置筐体上部に設けた給紙トレイ１１０及び給紙部材１２０、第１搬送路１９０、第１搬送路１９０から分岐点２２０を介して枝分かれした第２搬送路１９５及び第３搬送路２００、第３搬送路２００から分岐した第４搬送路２０５を有する。尚、これら搬送路は、シートの各種処理要求に応じてシートを選択的に搬送する搬送経路であり、例えば、本実施形態で全体としてシートの搬送路を構成する。画像消去装置１００はさらに、第１及び第２搬送路１９０、１９５の合流点２２５、分岐点２２０に設けられた第１分岐部材２１０、第３及び第４搬送路２００、２０５の分岐点に設けられた第２分岐部材２１５、並びに第１乃至第４搬送路１９０、１９５、２００、２０５に配置された複数の搬送ローラ２８６を有する。画像消去装置１００は、上記搬送路により搬送されたシートを収容するために、装置筐体下部に設けられた第１トレイ１６５及び第２トレイ１７０、並びに第１及び第２トレイ１６５、１７０にそれぞれ対応して設けられた排出部材１８０を有する。さらに、画像消去装置１００は、本実施形態でのシートの画像消去を行う為、第１搬送路１９０に配置された読取部１３０、第２搬送路１９５に配置された消色部１５０、及び装置筐体上部に設けられた操作部２４０を有する。
【００１２】
給紙トレイ１１０は、再利用するシートを積載する。再利用するシートは、例えば、記録材料で画像形成されたシートである。尚、シートはＡ３、Ａ４、Ｂ５等、様々なサイズであって良い。給紙部材１２０は、ピックアップローラ、シート供給ローラ、及びシート供給ローラに対向配置される分離ローラ等を有する。給紙部材１２０は、給紙トレイ１１０上のシートを１枚ずつ画像消去装置１００内部の第１搬送路１９０へ搬送する。
【００１３】
給紙トレイ１１０は、給紙トレイ１１０上のシートの有無を検知する検知センサ１１２を有する。検知センサ１１２は、例えば、マイクロセンサやマイクロアクチュエータであって良い。
【００１４】
第１搬送路１９０は、複数の搬送ローラ２８６を有し、給紙トレイ１１０から分岐点２２０へ向かう搬送路を形成する。第１搬送路１９０は、読取部１３０を介して給紙されたシートを分岐点２２０へ搬送する。
【００１５】
読取部１３０は、第１搬送路１９０に沿って給紙トレイ１１０及び第２搬送路１９５の合流点２２５の下流に配置される。読取部１３０は、例えば、第１搬送路１９０を挟んで対向して位置する第１読取ユニット１３２ａ及び第２読取ユニット１３２ｂを有する。第１及び第２読取ユニット１３２ａ、１３２ｂは、搬送されるシートの第１面の画像及び裏面である第２面の画像を読み取る。すなわち読取部１３０は、第１及び第２読取ユニット１３２ａ、１３２ｂにより、第１搬送路１９０を搬送されるシートの両面の画像を読み取る。
【００１６】
第１分岐部材２１０は、読取部１３０の下流で第１搬送路１９０と第２搬送路１９５の分岐点２２０に配置される。第１分岐部材２１０は、読取部１３０を出て分岐点２２０へ搬送されるシートの搬送方向を切り替える。第１分岐部材２１０は、第１搬送路１９０を搬送されるシートを第２搬送路１９５又は第３搬送路２００へ選択的に振り分ける。第１分岐部材２１０は、例えば、通常の状態（非駆動状態）では、第１搬送路１９０から第３搬送路２００へのシートの搬送を許容する。他方、駆動状態では、シートの第１搬送路１９０から第３の搬送路２００への搬送を阻止する。従って、シートは、第２搬送路１９５へ搬送される。
【００１７】
第２搬送路１９５は複数の搬送ローラ２８６を有し、分岐点２２０において第１搬送路１９０より分岐する。さらに、第２搬送路１９５は、読取部１３０よりも上流に位置する合流点２２５へ向かって湾曲部を有している。このため、第２搬送路１９５は、合流点２２５において、第１搬送路１９０と合流する。すなわち、第１搬送路１９０と第２搬送路１９５は、分岐点２２０及び合流点２２５を介して循環する搬送路を形成する。前述のように第２搬送路１９５には、後述する消色部１５０が配置されている。従って、循環する搬送路は、読取部１３０から搬送されてきたシートを、消色部１５０を経由して、再び、読取部１３０へ搬送することを可能とする。詳述すれば、本実施形態の画像消去装置１００は、給紙部材１２０から供給されたシートを、第１搬送路１９０により合流点２２５を経由して読取部１３０へ導き、読取部１３０で処理されたシートを、第１分岐部材２１０を制御して分岐点２２０で第２搬送路１９５へ導き、消色部１５０、更に合流点２２５を経由して読取部１３０の順に搬送する。
【００１８】
消色部１５０は、例えば、第１消色ユニット１５２ａ及び第２消色ユニット１５２ｂを有し、この両ユニットは、図１に示すように第２搬送路１９５に沿って対向して配置され、搬送されるシート両面の画像の色を消す消色処理を行う。消色部１５０は、例えば、搬送されるシートへ接触した状態でシートを消色温度まで加熱することにより、記録材料によりシート上に形成された画像の色を消色する。消色部１５０の第１消色ユニット１５２ａは、シートの一方の面側からシートへ当接して加熱する。第２消色ユニット１５２ｂは、シートの他方の面側からシートへ当接して加熱する。すなわち、消色部１５０は、搬送されるシート両面の画像を一度の搬送で消色する。
【００１９】
図１に示す第３搬送路２００は分岐点２２０を介して第１搬送路１９０と繋がっており、分岐点２２０を通過したシートを第２分岐部材２１５へ搬送する。第２分岐部材２１５を介して搬送されるシートは、図１に示すように、上下に配置される第１トレイ１６５又は第２トレイ１７０のいずれかに収容される。例えば、第２分岐部材２１５は、第１トレイ１６５の後述する排出部材１８０の近傍に配置され、第１分岐部材２１０を介して搬送されたシートを第１トレイ１６５又は、第３搬送路２００に第２分岐部材２１５を介して接続された第４搬送路２０５へ搬送する。第２分岐部材２１５は、例えば、通常の状態（非駆動状態）では、第３搬送路２００から第４搬送路２０５へのシートの搬送を阻止し、シートは第１トレイ１６５に排紙される。他方、駆動状態では、シートの第３搬送路２００から第１トレイ１６５への搬送を阻止し、シートは、第４搬送路２０５に搬送される。第４搬送路２０５は搬送ローラ２８６を有し、シートを第２トレイ１７０へ搬送する。
【００２０】
排出部材１８０は、詳述すると、画像消去装置１００の下部に上下に配置された第１トレイ１６５、第２トレイ１７０にそれぞれ備えられる。排出部材１８０は、それぞれ第１トレイ１６５又は第２トレイ１７０へシートを排紙する。例えば、第１トレイ１６５は、シートの画像が消色され、再利用可能となったシートを収容する。第２トレイ１７０は、再利用不可能と判断されたシートを収容する。以下、第１トレイ１６５をリユーストレイと呼び、第２トレイ１７０をリジェクトトレイと呼ぶ。尚、第１トレイ１６５及び第２トレイ１７０は、受け入れる対象とするシートを入れ替えることも可能である。従って、受け入れるシートの属性によってその呼称は変更される。それぞれのトレイがどのようなシートを収容するかの設定、すなわち、シートの搬送先の設定は、例えば、操作部２４０から可能である。
【００２１】
画像消去装置１００は、第１乃至第４搬送路１９０，１９５、２００、２０５を搬送されるシートを検知する複数のシート検知センサを有する。シート検知センサは、例えば、マイクロセンサやマイクロアクチュエータであって良い。シート検知センサは、搬送路の適切な位置に配置される。
【００２２】
操作部２４０は、例えば、タッチパネル式の表示部２４５と各種の操作キーとを有し、画像消去装置１００本体の上部に配置される。操作キーは、例えば、テンキー、ストップキー、スタートキー等を有する。ユーザは、操作部２４０を介して、消色処理の開始又は消色するシートの画像の読み込み等の画像消去装置１００の機能動作を指示する。表示部２４５は、画像消去装置１００の設定情報や動作ステータスやログ情報等を表示する。
【００２３】
尚、操作部２４０は、例えば、ネットワークを介して外部装置の操作装置と接続され、外部の操作装置から操作出来る構成であっても良い。又は、操作部２４０は、画像消去装置１００本体から独立した形態で、有線又は無線通信によって画像消去装置１００を操作する構成であっても良い。すなわち、本実施形態の操作部２４０は、画像消去装置１００に対して処理の指示や情報の閲覧等が出来るものであれば良い。
【００２４】
以下に、上述の構成を有する画像消去装置１００の制御について説明する。
【００２５】
図２は、図１に示す画像消去装置１００のハードウェア構成の制御ブロック図である。画像消去装置１００は、読取部１３０、消色部１５０、操作部２４０、制御部２５０、記憶部２６０、検知部２７０、搬送部２８０、及び通信インターフェース（Ｉ／Ｆ）部２９０を有する。画像消去装置１００の各部は、バスライン３００を介して接続される。
【００２６】
制御部２５０は、ＣＰＵ（Ｃｅｎｔｒａｌ  Ｐｒｏｃｅｓｓｉｎｇ  Ｕｎｉｔ）或いはＭＰＵ（Ｍｉｃｒｏ  Ｐｒｏｃｅｓｓｉｎｇ  Ｕｎｉｔ）からなるプロセッサ２５２とメモリ２５４を有する。メモリ２５４は、例えば、半導体メモリであり、各種制御プログラムを格納するＲＯＭ（Ｒｅａｄ  Ｏｎｌｙ  Ｍｅｍｏｒｙ）２５６と、プロセッサ２５２に一時的な作業領域を提供するＲＡＭ（Ｒａｎｄｏｍ  Ａｃｃｅｓｓ  Ｍｅｍｏｒｙ）２５８を有する。例えば、ＲＯＭ２５６は、再利用可否の閾値とするシートの印字率、画像が消色されたか否かを判断するための濃度閾値等を格納する。ＲＡＭ２５８は、読取部１３０で読み取った画像を一時的に保存しても良い。制御部２５０は、ＲＯＭ２５６又は記憶部２６０に格納された各種プログラム等に基づいて、画像消去装置１００の各部を制御する。
【００２７】
記憶部２６０は、読取部１３０が読み取った画像を保存する。記憶部２６０は、例えば、ハードディスクドライブ、その他の磁気記憶装置、光学式記憶装置、若しくはフラッシュ・メモリ等の半導体記憶装置、又はこれらの任意の組み合わせであって良い。例えば、消色部１５０が消色処理する前に、制御部２５０は、読取部１３０が読み取ったシートの画像を記憶部２６０へ保存することにより、後で消色された画像のデータが必要となった場合に、画像データを取得することが出来る。
【００２８】
検知部２７０は、図１に示す検知センサ１１２及び前述した各搬送路において搬送されるシートを検知するシート検知センサ（図示せず）を有する。制御部２５０は、検知センサ１１２からの信号に基づいて給紙トレイ１１０上のシートの有無、及びジャムの有無等を判断する。
【００２９】
搬送部２８０は、図１に示す第１乃至第４搬送路１９０、１９５、２００、２０５、上記搬送路に配置される複数の搬送ローラ２８６、排出部材１８０、及びこれら各ローラを駆動する複数の搬送モータを有する。
【００３０】
通信Ｉ／Ｆ部２９０は、外部の機器と接続するインターフェースである。通信Ｉ／Ｆ部２９０は、例えば、Ｂｌｕｅｔｏｏｔｈ（登録商標）、赤外線接続、光接続といったＩＥＥＥ８０２．１５、ＩＥＥＥ８０２．１１、ＩＥＥＥ８０２．３、ＩＥＥＥ３３０４等の適切な無線又は有線を介してネットワーク上の外部装置と通信する。通信Ｉ／Ｆ部２９０は、更に、ＵＳＢ規格の接続端子が接続されるＵＳＢ接続部やパラレルインターフェース等を含んでも良い。制御部２５０は、通信Ｉ／Ｆ部２９０を介して複合機、その他外部機器と通信する。尚、読取部１３０、消色部１５０、及び操作部２４０については、既に説明済みであるのでその説明については省略する。
【００３１】
以下に、本実施形態の画像消去装置１００が実行する各処理について説明する。
【００３２】
画像消去装置１００は、例えば、以下の各処理モードを有する。前述のシートの搬送経路は、画像消去装置１００が実行する各処理モードに基づいて第１又は第２分岐部材２１０、２１５を制御して適宜変更される。以下に参照される分別処理は、読取部１３０が読み取ったシートの表面状態を示す画像を基に、シートが再利用可能か否かを制御部２５０が判定し、判定結果に応じてリユーストレイ１６５又はリジェクトトレイ１７０へ選択的に振り分ける処理である。保存処理は、読取部１３０が読み取ったシート上の画像を記憶部２６０へ保存する処理である。尚、分別処理及び保存処理については詳細を後述する。
（１）第１消色モード：保存処理を行わず、消色処理のみを行う。
（２）第２消色モード：保存処理後、消色処理を行う。
（３）第３消色モード：保存処理を行わず、消色処理後、分別処理を行う。
（４）第４消色モード：保存処理後、消色処理を行い、さらに分別処理を行う。
（５）第５消色モード：分別処理後、必要に応じて消色処理を行い、さらに分別処理を行う。
（６）読取モード：消色処理を行わず、保存処理を行う。
上述の各処理モードは、画像消去装置１００の操作部２４０で選択出来る。また、各処理モードの選択は、画像消去装置１００の操作部２４０に限らず、外部の端末から設定しても良い。第１乃至第５消色モードでは、シートは必ず消色部１５０へ搬送される。一方、読取モードでは、画像消去装置１００は、第１搬送路１９０を搬送されるシートを、第２搬送路１９５を介して消色部１５０へ搬送することなく、読取部１３０から分岐点２２０及び第３搬送路２００を経由して排紙する。この場合、前述のように、第１分岐部材２１０は非駆動状態にあり、第１搬送路１９０と第３搬送路２００は連通状態にある。
【００３３】
制御部２５０は、例えば、操作部２４０で設定された上述の各処理モードに応じて、読取部１３０、消色部１５０、及びその他の構成を制御する。例えば、第１乃至第５消色モードが選択された場合には、制御部２５０は、消色部１５０にシートの画像を消色させる。
【００３４】
消色部１５０がシートの画像を消色した後に、この消色されたシートの画像を読取部１３０が読み取る場合（第３消色モード、第４消色モード、第５消色モード）、制御部２５０は、読取部１３０が読み取った画像のデータに基づいて、シートの折り目、破れ目、又はしわ等による影の有無、並びに消し残りの割合を基にシートが再利用可能か否かを判定する。制御部２５０は、上記判定結果に基づいて、シートの搬送先をリユーストレイ１６５又はリジェクトトレイ１７０に決定する（分別処理）。
【００３５】
尚、第５消色モードにおける１回目の分別処理においては、制御部２５０は、読取部１３０が読み取った画像のデータに基づいて、シートの折り目、破れ目、又はしわ等による影の有無、並びに印字率を基にシートが再利用可能か否かを判定する。制御部２５０は、上記判定結果に基づいて、シートの搬送先を消色部１５０又はリジェクトトレイ１７０に決定する。また、この分別処理は、後述する保存処理を兼ねても良い。すなわち制御部２５０は、読み取った画像を基に再利用可能か否かの判定をするとともに、この画像を記憶部２６０へ保存する。
【００３６】
他方、消色部１５０へシートが搬送される前に、読取部１３０がシートの画像を読み取る場合（第２消色モード、第４消色モード）、制御部２５０は、読取部１３０で読み取った画像を記憶部２６０へ保存する（保存処理）。ここで、制御部２５０は、読取部１３０が読み取ったシートの画像のデータ中に機密データ等の消色を禁止すべき禁止データが含まれているか否かを判定しても良い。
【００３７】
消色処理を行わずに、シートの画像を読み取る読取モードが設定された場合、読取部１３０がシートの画像を読み取り、読み取った画像を記憶部２６０へ保存する（保存処理）。制御部２５０は、第１分岐部材２１０を駆動せず、従って読み取りが終了したシートを、消色部１５０へ搬送せず、第２分岐部材２１５を制御してリジェクトトレイ１７０へ排紙する。尚、この読取モードにおいて、制御部２５０は保存処理ではなく分別処理又は、保存処理と分別処理の両方を行っても良い。すなわち制御部２５０は、読取モードにおいて読取部１３０がシートの画像を読み取り、読み取った画像を記憶部２６０へ保存した上で、当該画像を基に、例えばシートの再利用可否を判定することにより、シートをリユーストレイ１６５又はリジェクトトレイ１７０へ分別しても良い。
【００３８】
以下、第１の実施形態の保存処理について詳しく説明する。本実施形態では、例として、複数枚のシートからなる書類を複数部数集めたシート束に対して消色処理を施す。このシート束のうち、最初の１部目の書類を構成するシートに対しては、シート上に形成された消色処理前の画像を読み取り、記憶部２６０へ保存する（保存処理）。保存処理が施されたシートは、消色部１５０により消色処理を施される。他方、２部目の書類以降を構成するシートに対しては、保存処理を施すことなく消色処理を施す。
【００３９】
尚、保存処理の対象となる最初の１部目の書類が何枚のシートにより構成されているかは、取得部より取得する。取得部は、例えば、ユーザからの入力を受け付ける操作部２４０、又は外部機器からの入力を受け付ける通信Ｉ／Ｆ部２９０等である。以下では、操作部２４０を取得部として説明する。また、取得部より取得した枚数情報（閾値Ｐ）は、ＲＡＭ２５８又は記憶部２６０へ保存される。以下では、閾値ＰをＲＡＭ２５８へ保存することとする。
【００４０】
以上まとめると、制御部２５０がシートを給紙する場合に、それまでの累計枚数Ｎが１部目の書類を構成するシートの枚数である閾値Ｐ以下である場合には、当該シート上の画像は保存処理が施されていないため、読取部１３０で読み取られ、記憶部２６０へ保存される。他方、累計枚数Ｎが閾値Ｐを超える場合、当該シート上の画像と同一の画像が１部目の書類を構成するシートの画像として既に保存処理されているため、これらのシートは読取部１３０で読み取られることなく分岐点２２０へ搬送される。
【００４１】
図３は、第１の実施形態における第２消色モードの制御フローである。本実施形態では、シートに対して保存処理後に消色処理を施す第２消色モードを例にとって説明する。
【００４２】
ユーザが、操作部２４０より書類の１部目を構成するシートの枚数、すなわち閾値Ｐを入力する。制御部２５０は、取得した閾値ＰをＲＡＭ２５８へ格納する（ＡＣＴ１０１）。次に、ユーザが第２消色モードを指定し処理をスタートさせると、制御部２５０は、給紙部材１２０を駆動させ、シートを第１搬送路１９０へ搬送する（ＡＣＴ１０２）。ここで制御部２５０は、搬送するシートの累計枚数Ｎを１加算する（ＡＣＴ１０３）。尚、図３に示す処理フローの場合には、累計枚数Ｎの初期値は０である。加算後の累計枚数Ｎが閾値Ｐ以下の場合（ＡＣＴ１０４、Ｙｅｓ）、制御部２５０は、シートを読取部１３０へ搬送する。読取部１３０は、第１搬送路１９０に沿って搬送されるシートに対して読取処理を行う（ＡＣＴ１０５）。次に制御部２５０は、読取部１３０が読み取った画像に対して保存処理を行う（ＡＣＴ１０６）。制御部２５０は、保存処理が終了したシートを分岐点２２０へ搬送する。他方、ＡＣＴ１０４において給紙トレイ１１０から給紙したシートの累計枚数Ｎが閾値Ｐを超えている場合（ＡＣＴ１０４、Ｎｏ）、制御部２５０は、読取部１３０を通過させてシートを分岐点２２０へ搬送する。この場合、図３に示すように、読取処理および保存処理は実行されない。次に制御部２５０は、第１分岐部材２１０を駆動させることで、シートへの読取処理および保存処理が実行されているかどうかに拘わらず、第２搬送路１９５を介してシートを分岐点２２０から消色部１５０へ搬送する。消色部１５０は、搬送されるシートに対して消色処理を施す（ＡＣＴ１０７）。制御部２５０は、第２搬送路１９５、合流点２２５、及び第１搬送路１９０を介して消色処理が施されたシートを再び分岐点２２０へ搬送する。制御部２５０は、第１分岐部材２１０を駆動させずに、シートを第３搬送路２００へ搬送する。制御部２５０は、リユーストレイ１６５へシートを排紙する（ＡＣＴ１０８）。ここで制御部２５０は、給紙トレイ１１０上の全てのシートに対して処理が完了したか否かを確認する（ＡＣＴ１０９）。制御部２５０は、給紙トレイ１１０上のシートの有無を検知センサ１１２からの入力により確認出来る。給紙トレイ１１０上にシートが存在する場合（ＡＣＴ１０９、Ｎｏ）、制御部２５０は、最上部に位置するシートに対して上記フローに沿った処理を開始する（ＡＣＴ１０２）。他方、全てのシートに対して処理が完了した場合（ＡＣＴ１０９、Ｙｅｓ）、制御部２５０は、ＲＡＭ２５８に保存される累計枚数Ｎ及び閾値Ｐをリセットし（ＡＣＴ１１０）、処理を終了する。累計枚数Ｎと閾値Ｐのうち閾値Ｐは、次の入力があれば、上書き可能なので必ずしも処理終了毎にリセットする必要は無い。
【００４３】
上述した第１の実施形態によれば、ユーザが操作部２４０より指定した枚数のシート以外は保存処理を行わないため、重複する画像を保存しない。すなわち、記憶部２６０のメモリの消費量を抑制することが可能である。
（第２の実施形態）
【００４４】
以下、第２の実施形態の画像消去装置１００の構成及び動作について説明する。本実施形態の画像消去装置１００は、例えば、第１の実施形態と同様に、複数枚のシートからなる書類を複数部数集めたシート束が対象となる。例えばシート上の画像のうち、ページ番号を読み取り、既に保存処理が施された画像のページ番号であった場合には、当該画像に対して保存処理を行わない。尚、第１の実施形態と同様の部分については説明を省略する。
【００４５】
本実施形態の画像消去装置の保存処理において、制御部２５０は、読取部１３０が読み取った画像からページ番号を抽出する。制御部２５０は、抽出したページ番号及び当該画像を記憶部２６０へ保存する（保存処理）。尚、ページ番号の保存先は記憶部２６０ではなくＲＡＭ２５８でも良い。既に当該ページ番号が保存されている場合、読み取った画像は保存せずに破棄する。１つのジョブ、すなわち給紙トレイ１１０へ積載されたシート束全てに対して処理が終了すると、記憶部２６０又はＲＡＭ２５８に保存されたページ番号はリセットされる。上記の構成により、重複したページ番号の画像に対しては保存処理を行わないため、メモリの消費を抑制することが出来る。
【００４６】
また、例えば、ページ番号を読み取れなかった等により当該ページ番号が保存されているか否かを判断できない場合、制御部２５０は、シートの画像を記憶部２６０へ保存せず、消色処理も施さない。すなわち制御部２５０は、シートに対して保存処理も消色処理も施さずに例えばリジェクトトレイ１７０（図４参照）へ排紙する。排紙されたシートは、ユーザによって保存処理及び消色処理の要否を確認される。このように、保存処理の要否をユーザに確認させることで不用意な保存によるメモリの消費及び安易な消色処理による画像の破棄を防ぐことが出来る。この時に、判断不能なシートが搬送されたことを表示部２４５に表示させても良い。その上で、保存処理及び消色処理の要否を、操作部２４０を通じてユーザから入力させても良い。制御部２５０は、入力に従って処理を施す。
【００４７】
図４は、第２の実施形態における第２消色モードの制御フローである。本実施形態では、シートに対して保存処理後に消色処理を施す第２消色モードを例にとって説明する。以下の説明においては、読み取ったページ番号は、ＲＡＭ２５８に保存されるものとする。
【００４８】
ユーザが第２消色モードをスタートさせると、制御部２５０は、給紙部材１２０を駆動させ、シートを第１搬送路１９０へ搬送する（ＡＣＴ２０１）。読取部１３０は、第１搬送路１９０に沿って搬送されるシートに対して読取処理を行う（ＡＣＴ２０２）。次に制御部２５０は、読取部１３０が読み取った画像からページ番号を抽出する（ＡＣＴ２０３）。ここでページ番号が抽出不可能であった場合（ＡＣＴ２０４、Ｎｏ）、制御部２５０は、シートを例えばリジェクトトレイ１７０へ排紙する（ＡＣＴ２０５）。他方、ページ番号を抽出した場合（ＡＣＴ２０４、Ｙｅｓ）、制御部２５０は、当該ページ番号がＲＡＭ２５８に格納されているか否かを判断する（ＡＣＴ２０６）。ＲＡＭ２５８に当該ページ番号が格納されていない場合（ＡＣＴ２０６、Ｎｏ）、制御部２５０は、当該画像の保存処理を行う（ＡＣＴ２０７）。保存処理において制御部２５０は、当該ページ番号をＲＡＭ２５８に保存し、当該画像を記憶部２６０へ保存する。制御部２５０は、保存処理が終了したシートを分岐点２２０へ搬送する。他方、ＡＣＴ２０６において、当該ページ番号がＲＡＭ２５８に格納されている場合（ＡＣＴ２０６、Ｙｅｓ）、制御部２５０は、保存処理を行うことなくシートを分岐点２２０へ搬送する。制御部２５０は、第１分岐部材２１０を駆動させることで、シートを分岐点２２０から第２搬送路１９５を介して消色部１５０へ搬送する。消色部１５０は、搬送されるシートに対して消色処理を施す（ＡＣＴ２０８）。制御部２５０は、第２搬送路１９５、合流点２２５、及び第１搬送路１９０を介して消色処理が施されたシートを再び分岐点２２０へ搬送する。制御部２５０は、第１分岐部材２１０を駆動させずに、シートを第３搬送路２００へ搬送する。制御部２５０は、リユーストレイ１６５へシートを排紙する（ＡＣＴ２０９）。ここで制御部２５０は、給紙トレイ１１０上の全てのシートに対して処理が完了したか否かを確認する（ＡＣＴ２１０）。制御部２５０は、給紙トレイ１１０上のシートの有無を検知センサ１１２からの入力により確認出来る。給紙トレイ１１０上にシートが存在する場合（ＡＣＴ２１０、Ｎｏ）、制御部２５０は、最上部に位置するシートに対して上記フローに沿った処理を開始する（ＡＣＴ２０１）。他方、全てのシートに対して処理が完了した場合（ＡＣＴ２１０、Ｙｅｓ）、制御部２５０は、ＲＡＭ２５８に保存されるページ番号をリセットし（ＡＣＴ２１１）、処理を終了する。
【００４９】
上述した第２の実施形態によれば、読取部がシート上のページ番号を読み取り、既に読み取られたページ番号の画像については保存処理を行わないことで、第１の実施形態と同様に、記憶部のメモリの消費量を抑制することが出来る。また、ページ数を自動で読み取って保存処理の判別を行うため、ユーザが予め保存処理となるシートの枚数を入力しなくて良い。
【００５０】
第２の実施形態においては、シート上の画像に印字されたページ番号を比較する事で、画像を記憶部へ保存するか否かを判断していたが、例えば、ヘッダー、フッダー、又はその他の画像等を抽出し、記憶部に保存される画像と比較を行っても良い。尚、画像全体で比較するよりも一部の画像により比較を行う方が比較する時間が短縮されるため望ましい。
【００５１】
尚、判別不可能なシートの排紙先をリジェクトトレイとしたが、リユーストレイ又は保留シートの排紙先として新しくトレイを設けてもよい。
【００５２】
以上説明した少なくとも一つの実施形態によれば、同一の画像を複数保存しないことで記憶部のメモリの消費を抑制することが可能である。
【００５３】
本発明は上記各実施形態に限定されるものではなく、種々の変形が可能である。「消色処理」は、画像の色を消すと記述したが、画像を消去するという意味を含んで良い。すなわち、本実施の形態に記載の画像消去装置は、熱により画像の色を消す装置に限定されるものではない。例えば、光の照射によってシート上の画像の色を消す装置でも、特殊シートに形成された画像の消す装置でもよい。或いは、画像消去装置は、シート上の画像を除去（消去）する装置であっても良い。画像消去装置は、シートを再利用可能にするために、シート上の画像を見えなくする構成であれば良い。
【００５４】
また、記憶部は上記各実施形態に記載するような、画像消去装置内部に限定して構成されるものではない。保存処理により画像を保存する場所は、例えば、ネットワークで接続されたサーバの記憶部又はその他外部機器の記憶部でも良い。また、ＵＳＢ接続部に接続されたＵＳＢメモリに保存しても良い。
【００５５】
上述の実施形態において、図３、図４のプロセスを具現化するプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００５６】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成しても良い。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１００…画像消去装置
１１０…給紙トレイ
１３０…読取部
１５０…消色部
１９０…第１搬送路
１９５…第２搬送路
２４５…表示部
２５０…制御部
２６０…記憶部
２８０…搬送部
【図１】
2015060079.tif 000003
【図２】
2015060079.tif 000004
【図３】
2015060079.tif 000005
【図４】
2015060079.tif 000006